(57)【要約】【課題】使用者が作成した作成ガイドを用いて構図を決定するための補助を行うこと。【解決手段】撮影ガイド作成部１０４ａは、使用者による撮影ガイドの描画を受付け、受付けた描画内容に基づいて、撮影ガイドを作成する。そして、作成ガイド表示部１０４ｃは、作成した撮影ガイドをモニタ１０７に表示する。【選択図】図１
2008236011.tif 000002
【特許請求の範囲】
【請求項１】
撮影時に、表示装置に構図の決定を補助するための撮影ガイドを表示する撮影装置であって、
使用者による前記撮影ガイドの描画を受付ける描画手段と、
前記描画手段で受付けた描画内容に基づいて、前記撮影ガイドを作成する作成手段と、
前記作成手段で作成した前記撮影ガイドを前記表示装置に表示する表示手段とを備えることを特徴とする撮影装置。
【請求項２】
請求項１に記載の撮影装置において、
前記作成手段で作成した前記撮影ガイドを記録媒体に記録する記録手段をさらに備えることを特徴とする撮影装置。
【請求項３】
請求項２に記載の撮影装置において、
前記表示手段は、前記記録媒体に記録されている前記撮影ガイドを読み込んで、前記表示装置に一覧表示することを特徴とする撮影装置。
【請求項４】
請求項２に記載の撮影装置において、
複数のシーンモードの中から使用者によって選択された撮影用シーンモードに応じて撮影条件を自動的に設定することができる場合に、使用者からの指示に基づいて、前記撮影ガイドを使用して撮影を行う際に使用するシーンモードを対象シーンモードとして特定する特定手段をさらに備え、
前記記録手段は、前記特定手段で特定した前記対象シーンモードを前記撮影ガイドに関連付けて前記記録媒体に記録することを特徴とする撮影装置。
【請求項５】
請求項４に記載の撮影装置において、
前記表示手段は、使用者によって前記撮影用シーンモードが選択された場合には、前記記録媒体に記録された撮影ガイドの中から、選択された前記撮影用シーンモードと同じシーンモードが前記対象シーンモードとして関連付けられている前記撮影ガイドを読み込んで、前記表示装置に一覧表示することを特徴とする撮影装置。
【請求項６】
請求項１〜５のいずれか一項に記載の撮影装置において、
前記撮影ガイドは、被写体の輪郭を表す図形をオブジェクトとして含むことを特徴とする撮影装置。
【請求項７】
請求項６に記載の撮影装置において、
前記描画手段は、複数の前記オブジェクトを組み合わせた前記撮影ガイドの描画を受付けることを特徴とする撮影装置。
【請求項８】
請求項６または７に記載の撮影装置において、
前記記録媒体に記録されている前記撮影ガイドの検索条件として、前記撮影ガイドに含まれている前記オブジェクトの種類を選択する検索条件設定手段をさらに備え、
前記表示手段は、前記記録媒体に記録されている前記撮影ガイドの中から、前記検索条件設定手段で設定された前記オブジェクトの種類を含む前記撮影ガイドを抽出して読み込んで、前記表示装置に一覧表示することを特徴とする撮影装置。
【請求項９】
請求項３、５、または８に記載の撮影装置において、
前記表示手段は、前記表示装置に一覧表示した前記撮影ガイドの中から、使用者によって選択された１つの前記撮影ガイドを前記構図の決定を補助するための撮影ガイドとして選択して、前記表示装置に表示することを特徴とする撮影装置。
【発明の詳細な説明】
【技術分野】
【０００１】
本発明は、被写体像を撮像して画像を取得する撮影装置に関する。
【背景技術】
【０００２】
次のようなデジタルカメラが知られている。このデジタルカメラは、液晶表示装置内に撮影を補助するための補助枠を表示し、使用者は、この補助枠に従って構図を決定して撮影を行う（例えば、特許文献１）。
【０００３】
【特許文献１】特開２０００−２７０２４２号公報
【発明の開示】
【発明が解決しようとする課題】
【０００４】
しかしながら、従来のデジタルカメラは、使用者は、あらかじめ用意されている補助枠に従って構図を決定する必要があり、構図の自由度が低下するという問題があった。
【課題を解決するための手段】
【０００５】
本発明は、撮影時に、表示装置に構図の決定を補助するための撮影ガイドを表示する撮影装置であって、使用者による撮影ガイドの描画を受付け、受付けた描画内容に基づいて、撮影ガイドを作成し、作成した撮影ガイドを表示装置に表示することを特徴とする。
本発明では、作成した撮影ガイドを記録媒体に記録することが好ましく、記録媒体に記録されている撮影ガイドを読み込んで、表示装置に一覧表示するようにしてもよい。
また、複数のシーンモードの中から使用者によって選択された撮影用シーンモードに応じて撮影条件を自動的に設定することができる場合に、使用者からの指示に基づいて、撮影ガイドを使用して撮影を行う際に使用するシーンモードを対象シーンモードとして特定し、特定した対象シーンモードを撮影ガイドに関連付けて記録媒体に記録するようにしてもよく、使用者によって撮影用シーンモードが選択された場合には、記録媒体に記録された撮影ガイドの中から、選択された撮影用シーンモードと同じシーンモードが対象シーンモードとして関連付けられている撮影ガイドを読み込んで、表示装置に一覧表示するようにしてもよい。
また、撮影ガイドは、被写体の輪郭を表す図形をオブジェクトとして含むことが好ましく、複数のオブジェクトを組み合わせた撮影ガイドの描画を受付けることが好ましい。さらに、記録媒体に記録されている撮影ガイドの検索条件として、撮影ガイドに含まれているオブジェクトの種類を選択し、記録されている撮影ガイドの中から、設定されたオブジェクトの種類を含む撮影ガイドを抽出して読み込んで、表示装置に一覧表示するようにしてもよい。
また、表示装置に一覧表示した撮影ガイドの中から、使用者によって選択された１つの撮影ガイドを構図の決定を補助するための撮影ガイドとして選択して、表示装置に表示することが好ましい。
【発明の効果】
【０００６】
本発明によれば、使用者は好みの構図に合わせた撮影ガイドを用いて撮影することができ、構図の自由度が向上する。
【発明を実施するための最良の形態】
【０００７】
図１は、本実施の形態におけるカメラ（撮影装置）の一実施の形態の構成を示すブロック図である。カメラ１００は、操作部材１０１と、レンズ１０２と、撮像素子１０３と、制御装置１０４と、メモリ１０５と、メモリカードスロット１０６と、モニタ１０７とを備えている。操作部材１０１は、使用者によって操作される種々の入力部材、例えば電源ボタン、レリーズスイッチ、ズームボタン、十字キー、決定ボタン、再生ボタン、削除ボタンなどを含んでいる。
【０００８】
レンズ１０２は、複数の光学レンズ群から構成されるが、図１では代表して１枚のレンズで表している。撮像素子１０３は、例えばＣＣＤやＣＭＯＳであり、レンズ１０２により結像した被写体像を撮像して画像を取得する。そして、取得した画像のデータ（画像データ）を制御装置１０４へ出力する。
【０００９】
メモリ１０５は、例えばフラッシュメモリであって、撮像素子１０３で撮像された画像や後述するメモリカードスロット１０６を介して読み込んだ画像ファイルを一時的に記録するためのバッファメモリとして使用される。また、カメラ１００を動作させるための種々のプログラムが記録される。メモリカードスロット１０６は、画像を記録する記録媒体としてのメモリカードを挿入するためのスロットであり、メモリカードにデータを書き込んだり、メモリカードからデータを読み込んだりすることができる。
【００１０】
モニタ１０７は、カメラ１００の背面に搭載された液晶モニタ（背面モニタ）であり、後述する制御装置１０４は、メモリカードから読み込んだ画像を当該モニタ１０７へ出力して表示（再生）する。また、モニタ１０７には、カメラ１００を設定するための設定メニューなども表示される。さらに、後述する制御装置１０４は、撮像素子１０３から所定時間間隔で画像を取得してモニタ１０７に出力する。これによって、モニタ１０７には、各フレームの画像が所定時間間隔で順番に表示される。すなわちモニタ１０７にはスルー画が表示される。使用者は、撮影を行う際には、モニタ１０７に表示されたスルー画を確認しながら構図を決定することができる。
【００１１】
また、モニタ１０７にはタッチパネル１０７ａが搭載されており、使用者は、タッチペン等を使用してモニタ１０７上をタッチすることによってカメラ１００を操作することができる。例えば、使用者は、タッチパネル１０７ａをタッチすることによって、モニタ１０７に表示された種々のメニュー項目を選択したり、モニタ１０７上で図形を描画したりすることができる。
【００１２】
本実施の形態におけるカメラ１００は、上述したように、使用者が撮影に際してモニタ１０７に表示されたスルー画を確認しながら構図を決定するに当たって、構図の決定をサポート（補助）するための撮影ガイドをモニタ１０７に表示することができる。例えば、使用者は、あらかじめ作成されてメモリ１０５に記録されている撮影ガイドの中から、構図を決定するために使用したいものをモニタ１０７上で選択することによって、好みの構図で撮影を行うための撮影ガイドをモニタ１０７に表示することができる。なお、撮影ガイドの具体例、および使用者による撮影ガイドの選択方法については、後述する。
【００１３】
また、カメラ１００においては、使用者が、この撮影ガイドをモニタ１０７上で描画して作成することができる。すなわち、モニタ１０７上でタッチパネル１０７ａをタッチすることによって、あらかじめ用意されている図形を配置したり、任意に図形を描画したりして、所望の構図を決定するために使用する撮影ガイドを作成することができる。この撮影ガイドの作成方法についても後述する。
【００１４】
制御装置１０４は、ＣＰＵ、メモリやその他の周辺回路により構成され、撮影ガイド作成部１０４ａと、撮影ガイド記録部１０４ｂと、撮影ガイド表示部１０４ｃと、撮影制御部１０４ｄとを機能的に備えている。なお、１０４ａ〜１０４ｄの各要素による処理は、制御装置１０４がメモリ１０５からプログラムを読み込んで起動することによって実行される。以下、１０４ａ〜１０４ｄの各要素による処理について説明する。
【００１５】
撮影ガイド作成部１０４ａは、使用者によって、上述した撮影ガイドの作成開始が指示されると、カメラ１００のモードを撮影ガイド作成モードに設定して、使用者がタッチパネル１０７ａを操作して好みの撮影ガイドを作成できるようにする。具体的には、撮影ガイド作成部１０４ａは、カメラ１００のモードを撮影ガイド作成モードに設定し、図２に示すような撮影ガイド作成用画面をモニタ１０７上に表示する。
【００１６】
図２（ａ）に示すように、この撮影ガイド作成用画面には、使用者が撮影ガイドを作成するために使用する描画ボタン２ａ〜２ｆが配置されており、使用差者は、タッチペンでこれらの描画ボタンのいずれかを選択した後に、選択した描画ボタンに応じた方法で撮影ガイドを描画する。ここで、各描画ボタンについて説明する。
【００１７】
（Ａ）描画ボタン２ａ
描画ボタン２ａは、直線を描画するための直線描画ボタンであって、使用者は、この直線描画ボタン２ａをタッチペンでタッチして選択することにより、直線の描画開始を指示することができる。そして、使用者は、タッチパネル１０７ａ上でタッチペンをスライドさせて直線を描画することができる。
【００１８】
すなわち、撮影ガイド作成部１０４ａは、直線描画ボタン２ａが選択された場合には、描画モードを直線描画モードに設定し、使用者がタッチパネル１０７ａ上でタッチペンをスライドさせた場合には、そのときの軌跡に沿って直線を描画する。例えば、図２（ａ）に示すように、使用者がタッチペンを点Ａから点Ｂまでスライドさせた場合には、点Ａと点Ｂとの間に直線（直線Ａ−Ｂ）２ｇを描画する。
【００１９】
（Ｂ）描画ボタン２ｂ
描画ボタン２ｂは、円を描画するための円描画ボタンであって、使用者は、この円描画ボタン２ｂをタッチペンでタッチして選択することにより、円または楕円の描画開始を指示することができる。そして、使用者は、モニタ１０７上の円の配置を開始したい位置から終了したい位置までタッチペンをスライドさせることによって、円の描画位置および円の大きさを指定することができる。
【００２０】
すなわち、撮影ガイド作成部１０４ａは、円描画ボタン２ｂが選択された場合には、描画モードを円描画モードに設定し、使用者がタッチパネル１０７ａ上でタッチペンをスライドさせた場合には、その始点から終点までを円の直径とするように円を描画する。例えば、図２（ｂ）に示すように、使用者がタッチペンを点Ｃから点Ｄまでスライドさせた場合には、点Ｃと点Ｄとの間を直径とする円２ｈを描画する。
【００２１】
（Ｃ）描画ボタン２ｃ
描画ボタン２ｃは、四角形を描画するための四角形描画ボタンであって、使用者は、この四角形描画ボタン２ｃをタッチペンでタッチして選択することにより、四角形の描画開始を指示することができる。そして、使用者は、円を描画する場合と同様に、モニタ１０７上の四角形の配置を開始したい位置から終了したい位置までタッチペンをスライドさせることによって、四角形の描画位置および四角形の大きさを指定することができる。
【００２２】
すなわち、撮影ガイド作成部１０４ａは、四角形描画ボタン２ｃが選択された場合には、描画モードを四角形描画モードに設定し、使用者がタッチパネル１０７ａ上でタッチペンをスライドさせた場合には、その始点から終点までを四角形の長辺、短辺、または対角線とするように四角形を描画する。
【００２３】
（Ｄ）描画ボタン２ｄ
描画ボタン２ｄは、使用者が自由に直線や曲線を描画することができる自由描画ボタンであって、使用者は、この自由描画ボタン２ｄをタッチペンでタッチして選択することにより、タッチペンを用いた自由な描画（フリー描画）の開始を指示することができる。そして、使用者は、タッチパネル１０７ａ上でタッチペンをスライドさせることによって直線や曲線を描画することができる。
【００２４】
すなわち、撮影ガイド作成部１０４ａは、自由描画ボタン２ｄが選択された場合には、描画モードを自由描画モードに設定し、使用者がタッチパネル１０７ａ上でタッチペンをスライドさせた場合には、そのときの軌跡に沿って直線や曲線を描画する。例えば、図２（ｃ）に示すように、使用者がタッチペンを点Ｅから点Ｆまでスライドさせて、直線部と曲線部とからなる山の輪郭を描画した場合には、その軌跡に合わせて山の輪郭を示す図形２ｉを描画する。
【００２５】
（Ｅ）描画ボタン２ｅ
描画ボタン２ｅは、あらかじめ用意されているパターン図形を配置するためのパターン描画ボタンであって、使用者は、このパターン描画ボタン２ｅをタッチペンでタッチして選択することにより、パターン図形の描画開始を指示することができる。そして、使用者は、モニタ１０７上のパターン図形を開始したい位置をタッチペンでタッチすることによって、そのタッチした位置にパターン図形を配置することができる。すなわち、撮影ガイド作成部１０４ａは、パターン描画ボタン２ｅが選択された場合には、描画モードをパターン図形描画モードに設定し、使用者がタッチパネル１０７ａ上をタッチペンでタッチした場合には、その位置にパターン図形の中心（または重心）が位置するように、パターン図形を配置する。
【００２６】
なお、パターン図形としては、例えば、人物の輪郭を現した図形、山の輪郭を表した図形、建物の輪郭を現した図形、十字型の図形などがあらかじめ用意されている。そして、使用者は、図２（ｄ）に示すように、パターン描画ボタン２ｅを選択して、モニタ１０７上に人物の輪郭を表すパターン図形２ｊおよび２ｋ、山の輪郭を表すパターン図形２ｌ、および十字型の図形２ｍなどを好みの位置に配置することができる。
【００２７】
使用者は、このようにして配置したパターン図形の配置位置、向き、および大きさを変更することができる。例えば、図３（ａ）に示すように、使用者は、配置した人物の輪郭を表すパターン図形３ａの輪郭または内部をタッチペンでタッチして選択することができる。使用者によってパターン図形が選択された場合には、パターン図形の四隅にアンカーポイント３ｂが表示される。そして、使用者は、選択したパターン図形３ａの輪郭の外側を回転させたい方向（例えば、矢印３ｃで示す方向）にタッチペンでドラッグすることによって、パターン図形の向きをパターン図形３ｄに示すように変えることができる。
【００２８】
また、図３（ｂ）に示すように、使用者は、いずれかのアンカーポイント３ｂをタッチして、パターン図形３ａの中心方向（例えば、矢印３ｅで示す方向）へドラッグすることによって、パターン図形３ａを縮小することができる。逆に、いずれかのアンカーポイント３ｂをタッチして、パターン図形３ａの中心とは逆方向へドラッグすることによって、パターン図形３ａを拡大することができる。さらに、図３（ｃ）に示すように、使用者は、パターン図形内をタッチして任意の方向（例えば、矢印３ｆに示す方向）にドラッグすることにより、パターン図形の配置位置を移動することができる。
【００２９】
なお、上述した描画ボタン２ａ〜２ｄを選択して描画した図形についても、図３を用いて説明した方法と同様に、それぞれの図形の配置位置、向き、および大きさを変更することが可能である。
【００３０】
（Ｆ）描画ボタン２ｆ
描画ボタン２ｆは、上述した描画ボタン２ａ〜２ｄを選択してモニタ１０７上に描画または配置した図形を削除するための削除ボタンである。使用者は、削除したい図形をタッチして選択した後、この削除ボタン２ｆをタッチすることによって、選択した図形を削除することができる。このとき、撮影ガイド作成部１０４ａは、本当に削除してよいかを使用者に確認するための確認メッセージをモニタ１０７に表示するようにしてもよい。
【００３１】
また、本実施の形態では、使用者は、過去に撮影した画像をメモリカードから読み出してモニタ１０７に表示し、上述した描画ボタン２ａ〜２ｄを用いてその画像に含まれている被写体の輪郭に沿って図形を描画することによっても撮影ガイドを作成することができる。例えば、図４に示すように、元になる１枚の画像４ａをモニタ１０７に表示して、タッチペンを使用して画像４ａに基づく撮影ガイドを作成することができる。
【００３２】
使用者は、このように描画ボタン２ａ〜２ｄを選択して描画した各図形（オブジェクト
）に対して優先順位を付加することができる。優先順位とは、作成した撮影ガイドを用いて撮影を行う際に、どのオブジェクトに対応する被写体を優先するかを設定するためのものであり、撮影時には、優先順位が最も高く設定されているオブジェクト内に存在する被写体をオートフォーカスや自動露出の対象とする。使用者は、具体的には、図５に示すように各オブジェクトに対して優先順位を設定する。
【００３３】
図５（ａ）に示すように、使用者は、人物の輪郭を表すオブジェクト５ａ上にタッチペンを当てて長押しすることによって、オブジェクト５ａに優先順位を設定するためのメニュー５ｂを呼び出すことができる。使用者は、このメニュー５ａ内に表示される優先順位の中から、選択したオブジェクト５ａに対して付加する優先順位をタッチペンでタッチすることによって選択する。ここでは、使用者は、人物の輪郭を表すオブジェクト５ａの優先順位を「１」に設定し、背景領域に相当するオブジェクトに優先順位「２」を設定したものとする。
【００３４】
撮影ガイド作成部１０４ａは、使用者によって優先順位が設定された場合には、優先順位の設定状況をモニタ１０７上に明示する。例えば、図５（ｂ）に示すように、撮影ガイドを立体的に表示して優先順位が高いオブジェクトを前面に表示し、さらにオブジェクト中に優先順位を表す数字を表示することで優先順位の設定状況を明示する。または、図５（ｃ）に示すように、オブジェクト中に優先順位を表す数字を表示するだけでもよい。あるいは、優先順位が最も高いオブジェクトは赤で表示するなど、優先順位に応じてオブジェクトの表示色を変更するようにしてもよい。
【００３５】
撮影ガイド記録部１０４ｂは、使用者によって撮影ガイドの描画終了が指示されると、使用者による操作に基づいて撮影ガイド作成部１０４が作成した撮影ガイドをメモリ１０５に記録する。例えば、使用者は、操作部材１０１に含まれる所定のボタンを押下することによって描画終了を指示してもよく、画面上に描画終了を指示するためのボタンを配置しておき、使用者は当該ボタンをタッチすることによって、描画終了を指示してもよい。このとき、各撮影ガイドには、使用者によって設定された優先順位に関する情報も関連付けられて記録される。
【００３６】
また、カメラ１００は、撮影シーンに応じて撮影条件を自動的に設定するための複数のシーンモードを備えており、使用者は、好みのシーンモードを撮影用シーンモードとして設定して画像を撮影することができる。シーンモードとしては、例えば、ポートレートモード、風景モード、夜景ポートレートモード等があらかじめ用意されており、使用者は、これらの中から好みのシーンモードを選択することができる。そして、使用者は、上述したように作成した撮影ガイドを用いて撮影を行う際に自動的に設定したいシーンモードがある場合には、そのシーンモードを作成した撮影ガイドに関連付けて記録することができる。すなわち、撮影ガイド記録部１０４ｂは、使用者によって関連付ける対象シーンモードが選択された場合には、撮影ガイド作成部１０４ａが作成した撮影ガイドに選択された対象シーンモードを関連付けてメモリ１０５に記録する。
【００３７】
撮影ガイド表示部１０４ｃは、撮影時に、使用者によって撮影ガイドを用いた撮影の開始が指示された場合に、上述した処理で作成されメモリ１０５に記録されている撮影ガイドを読み込んで、モニタ１０７上に出力して表示する。例えば、撮影ガイド表示部１０４ｃは、複数の撮影ガイドがメモリ１０５に記録されている場合に、使用者によって撮影ガイドの表示が指示されたときには、図６（ａ）に示すような撮影ガイド一覧画面をモニタ１０７に表示して、記録されている全ての撮影ガイドを一覧表示する。このとき、撮影ガイドに対象シーンモードが関連付けられている場合には、撮影ガイド６ａや６ｂのように、関連付けられている対象シーンモードも合わせて表示する。
【００３８】
また、この撮影ガイド一覧画面においては、使用者は、オブジェクトの種類を指定することによって、その指定したオブジェクトを含む撮影ガイドのみを一覧表示するように、表示する撮影ガイドの絞込みを行うことができる。例えば、図６（ａ）に示す例では、撮影ガイド一覧画面の上部にオブジェクト選択用のボタン６ｃ〜６ｆが配置されており、使用者は、いずれかのボタンをタッチすることによって、一覧表示する撮影ガイドを検索することができる。
【００３９】
なお、図６（ａ）に示す例では、ボタン６ｃは、オブジェクトとして、人物の輪郭を表す形状の図形を含む撮影ガイドのみを抽出するためのボタンであり、ボタン６ｄは、四角形を含む撮影ガイドのみを抽出するためのボタンである。また、ボタン６ｅは、円を含む撮影ガイドのみを抽出するためのボタンであり、ボタン６ｆは、直線を含む撮影ガイドのみを抽出するためのボタンである。
【００４０】
図６（ｂ）は、使用者によってボタン６ｃがタッチされた場合の撮影ガイド一覧画面の具体例を示す図である。この図６（ｂ）では、使用者によるボタンの選択状況に応じて、人物の輪郭を表す形状の図形をオブジェクトとして含む撮影ガイドのみが抽出されて一覧表示されている。
【００４１】
使用者は、図６（ａ）または図６（ｂ）のいずれかの撮影ガイド一覧画面上で、構図を決定するために使用したい１つの撮影ガイドをタッチして選択する。使用者によっていずれかの撮影ガイドが選択されると、撮影ガイド表示部１０４ｃは、カメラ１００のモードを撮影モードに設定して、選択された撮影ガイドをモニタ１０７上に表示されているスルー画に重畳するように全画面表示する。すなわち、撮影ガイドをスーパーインポーズ表示する。
【００４２】
使用者は、図７に示すように、モニタ１０７に表示された撮影ガイド内のオブジェクトの配置位置を変更することで、撮影ガイドを修正することができる。すなわち、撮影ガイド表示部１０４ｃは、使用者によるタッチパネル１０７ａの操作に応じて、モニタ１０７に表示した撮影ガイドを修正する。これによって、作成済みの撮影ガイドを微調整して、撮影現場に合った好みの構図に変更することができる。
【００４３】
例えば、図７（ａ）に示す撮影ガイドが選択されてモニタ１０７に表示されている場合について説明する。この場合には、使用者は、撮影ガイド内に含まれるオブジェクト７ａおよび７ｂを移動させて撮影ガイドを修正することができる。具体的には、使用者は、図７（ｂ）に示すように、オブジェクト７ａをタッチしてスライドさせることによって、オブジェクト７ａの配置位置を変更することができる。また、図７（ｃ）に示すように、オブジェクト７ｂをタッチしてスライドさせることによって、オブジェクト７ｂの配置位置も変更することができる。
【００４４】
そして、図７（ｄ）に示す、オブジェクトの配置位置を変更した結果として得られる撮影ガイドを用いて、構図を決定して、撮影を行うことができる。なお、図７の各図においては、使用者が指でタッチパネル１０７ａをタッチして操作しているが、タッチペンを用いてもよい。また、図７では、各オブジェクトの配置位置を変更する例を示したが、これに限らず、図３と同様に、各オブジェクトのサイズを拡大または縮小したり、オブジェクトを回転させることによって撮影ガイドを変更することもできる。
【００４５】
使用者は、モニタ１０７に表示されている撮影ガイドに合わせて構図を決定して撮影を行なう。本実施の形態におけるカメラ１００では、撮影制御部１０４ｄは、各撮影ガイドで設定されているオブジェクトの優先順位に基づいて、自動的に撮影を行う。すなわち、撮影制御部１０４ｄは、優先順位が最も高く設定されているオブジェクト内に、そのオブジェクトに合った被写体が入った場合に、構図が決定されたと判断して撮像素子１０３から画像を取得して撮影を行う。
【００４６】
例えば、図５に示したように、人物の輪郭を表す図形のオブジェクト５ａの優先順位が１に設定されている場合には、撮影制御部１０４ｄは、当該オブジェクト５ａ内に被写体としての人物が入った場合に、自動的に撮影を行う。具体的には、撮影制御部１０４ｄは、撮像素子１０３から時系列で入力される各フレームの画像（スルー画を構成する各フレーム）に対して、公知の顔認識処理を実行してフレーム内の人物の顔を認識する。そして、認識した人物の顔が撮影ガイド内のオブジェクト５ａ内に入ったときに、オブジェクト５ａ内には人物が入ったと判断して撮影を行う。
【００４７】
あるいは、撮影ガイド内で四角形や円のオブジェクトの優先順位が１に設定されている場合には、各フレーム内からエッジを抽出して、四角形を構成するエッジが四角形のオブジェクトの形状と一致または近似したとき、または円を構成するエッジが円のオブジェクトの形状と一致または近似したときに、優先順位が最も高いオブジェクト内に、そのオブジェクトに合った被写体が入ったと判断して撮影を行う。
【００４８】
このとき、撮影制御部１０４ｄは、被写体がオブジェクト内に入っていないときは、モニタ１０７上に警告を表示する。また、オブジェクトの大きさと被写体の大きさとが異なる場合には、被写体に対してズームして、被写体を拡大または縮小することで、オブジェクトの大きさと被写体の大きさを一致させるようにしてもよい。そして、撮影制御部１０４ｄは、撮影して得られた画像をメモリカードスロット１０６を介して記録媒体としてのメモリカードに記録する。
【００４９】
図８は、本実施の形態における撮影ガイド作成処理のフローチャートである。図８に示す処理は、使用者によって撮影ガイドの作成開始が指示されると起動するプログラムとして、制御装置１０４によって実行される。
【００５０】
ステップＳ１０において、撮影ガイド作成部１０４ａは、使用者によってタッチパネル１０７ａが操作されたか否かを判断する。否定判断した場合には、後述するステップＳ５０へ進む。これに対して、肯定判断した場合には、ステップＳ２０へ進む。ステップＳ２０では、撮影ガイド作成部１０４ａは、使用者によるタッチパネル１０７ａの操作に応じて、モニタ１０７上に上述したオブジェクトを描画して、ステップＳ３０へ進む。
【００５１】
ステップＳ３０では、撮影ガイド作成部１０４ａは、使用者によってタッチパネル１０７ａが操作され、描画されたオブジェクトの大きさ、向き、配置位置などが修正（変更）されたか否かを判断する。肯定判断した場合には、ステップＳ４０へ進み、撮影ガイド作成部１０４ａは、使用者によるタッチパネル１０７ａの操作に応じて、オブジェクトを修正し、ステップＳ５０へ進む。これに対して、否定判断した場合には、そのままステップＳ５０へ進む。
【００５２】
ステップＳ５０では、使用者によって、図５で上述したように、各オブジェクトに対する優先順位の設定が行われたか否かを判断する。肯定判断した場合には、ステップＳ６０へ進み、撮影ガイド作成部１０４ａは、使用者による操作に応じて、各オブジェクトに対して優先順位を設定し、ステップＳ７０へ進む。一方、否定判断した場合には、そのままステップＳ７０へ進む。
【００５３】
ステップＳ７０では、撮影ガイド作成部１０４ａは、上述したように使用者によって撮影ガイドの描画終了が指示されたか否かを判断する。否定判断した場合には、ステップＳ１０へ戻って処理を繰り返す。これに対して、肯定判断した場合には、ステップＳ８０へ進む。ステップＳ８０では、使用者によって、作成した撮影ガイドに関連付けるシーンモード（対象シーンモード）が設定されたか否かを判断する。肯定判断した場合には、ステップＳ９０へ進み、使用者による設定内容に応じて、撮影ガイドと対象シーンモードを関連付けて、ステップＳ１００へ進む。一方、否定判断した場合には、そのままステップＳ１００へ進む。
【００５４】
ステップＳ１００では、撮影ガイド記録部１０４ｂは、撮影ガイド作成部１０４ａで作成された撮影ガイドをメモリ１０５へ記録する。このとき、撮影ガイド記録部１０４ｂは、上述した処理で設定した各オブジェクトの優先順位に関する情報、および対象シーンモードに関する情報を撮影ガイドに関連付けて記録する。その後、処理を終了する。
【００５５】
図９は、本実施の形態における撮影処理のフローチャートである。図９に示す処理は、使用者によって撮影ガイドを用いた撮影の開始が指示されると起動するプログラムとして、制御装置１０４によって実行される。
【００５６】
ステップＳ１１０において、撮影ガイド表示部１０４ｃは、メモリ１０５に記録されている撮影ガイドを読み込んで、モニタ１０７に一覧表示する。すなわち、図６（ａ）に示した撮影ガイド一覧画面をモニタ１０７に表示する。その後、ステップＳ１２０へ進み、撮影ガイド表示部１０４ｃは、図６（ａ）で上述したように、使用者によって、撮影ガイドの検索条件として、オブジェクトの種類が選択されたか否かを判断する。肯定判断した場合には、ステップＳ１３０へ進み、撮影ガイド表示部１０４ｃは、使用者によって選択されたオブジェクトの種類を含む撮影ガイドのみに絞り込んで一覧表示し、ステップＳ１４０へ進む。一方、否定判断した場合には、そのままステップＳ１４０へ進む。
【００５７】
ステップＳ１４０では、撮影ガイド表示部１０４ｃは、撮影ガイド一覧画面上で使用者によって撮影ガイドが選択されたか否かを判断する。否定判断した場合には、ステップＳ１２０へ戻って処理を繰り返す。これに対して、肯定判断した場合には、ステップＳ１５０へ進む。ステップＳ１５０では、撮影ガイド表示部１０４ｃは、使用者によって選択された撮影ガイドをモニタ１０７に全画面表示して、使用者が当該撮影ガイドを用いて構図を決定できるようにする。その後、ステップＳ１６０へ進む。
【００５８】
ステップＳ１６０では、使用者によって、撮影ガイドの修正が行われたか否かを判断する。すなわち、撮影ガイド内に配置されている各オブジェクトのサイズや配置位置が変更されたか否かを判断する。肯定判断した場合には、ステップＳ１７０へ進み、撮影ガイド表示部１０４ｃは、使用者によるタッチパネル１０７ａの操作に応じて撮影ガイドを修正し、ステップＳ１８０へ進む。一方、否定判断した場合には、そのままステップＳ１８０へ進む。
【００５９】
ステップＳ１８０では、撮影制御部１０４ｄは、構図が決定したか否かを判断する。すなわち、撮影制御部１０４ｄは、上述したように、優先順位が最も高く設定されているオブジェクト内に、そのオブジェクトに合った被写体が入った場合に、構図が決定されたと判断する。肯定判断した場合には、ステップＳ１９０へ進み、撮影制御部１０４ｄは、撮影を行って、ステップＳ２００へ進む。ステップＳ２００では、撮影制御部１０４ｄは、撮影して得た画像をメモリカードスロット１０６を介してメモリカードに記録し、処理を終了する。
【００６０】
以上説明した本実施の形態によれば、以下のような作用効果を得ることができる。
（１）撮影ガイド作成部１０４ａは、使用者による撮影ガイドの描画を受付け、受付けた描画内容に基づいて撮影ガイドを作成するようにした。そして、撮影ガイド表示部１０４ｃは、作成された撮影ガイドをモニタ１０７に表示するようにした。これによって、使用者は好みの構図に合わせた撮影ガイドを用いて撮影することができる。
【００６１】
（２）撮影ガイド記録部１０４ｂは、作成された撮影ガイドをメモリ１０５へ記録するようにした。これによって、使用者は、作成した撮影ガイドを再利用することができる。
【００６２】
（３）撮影ガイド表示部１０４ｃは、メモリ１０５に記録されている撮影ガイドを読み込んでモニタ１０７に一覧表示するようにした。これによって、使用者は、作成した複数の撮影ガイドを一覧画面上で確認することができる。
【００６３】
（４）複数のシーンモードの中から使用者によって選択された撮影用シーンモードに応じて撮影条件を自動的に設定することができる場合に、使用者からの指示に基づいて撮影ガイドを使用して撮影を行う際に使用する対象シーンモードを特定し、撮影ガイド記録部１０４ｂは、特定した対象シーンモードを撮影ガイドに関連付けて記録するようにした。これによって、使用者は、撮影ガイドごとに、その撮影ガイドを使用する際に設定するシーンモードを選択して記録しておくことができる。
【００６４】
（５）撮影ガイドは、被写体の輪郭を表す図形をオブジェクトとして含むようにした。これによって、使用者は、オブジェクト内に被写体が収まるように構図を決定することにより、好みの構図となるように撮影を行うことができる。
【００６５】
（６）撮影ガイド作成部１０４ａは、複数のオブジェクトを組み合わせた撮影ガイドの描画を受付けるようにした。これによって、使用者による撮影ガイドの作成自由度が向上する。
【００６６】
（７）撮影ガイド一覧画面上では、撮影ガイドの検索条件として、撮影ガイドに含まれているオブジェクトの種類を選択できるようにし、撮影ガイド表示部１０４ｃは、メモリ１０５に記録されている撮影ガイドの中から、撮影ガイド一覧画面上で選択されたオブジェクトの種類を含む撮影ガイドを抽出して読み込んで、モニタ１０７に一覧表示するようにした。これによって、使用者は、容易に目的の撮影ガイドを見つけることができる。
【００６７】
（８）撮影ガイド表示部１０４ｃは、モニタ１０７に一覧表示した撮影ガイドの中から、使用者によって選択された１つの撮影ガイドを構図の決定を補助するための撮影ガイドとして選択して、モニタ１０７に表示（全画面表示）するようにした。これによって、使用者は、選択した撮影ガイドに従って構図を決定して、撮影を行うことができる。
【００６８】
―変形例―
なお、上述した実施の形態のカメラは、以下のように変形することもできる。
（１）上述した実施の形態では、撮影ガイド一覧画面において、使用者は、オブジェクトの種類を指定することによって、その指定したオブジェクトを含む撮影ガイドのみを一覧表示するように、表示する撮影ガイドの絞込みを行う例について説明した。しかしながら、使用者は、撮影時のシーンモード（撮影シーンモード）を指定することによって、その撮影用シーンモードと同じシーンモードが対象シーンモードとして関連付けられている撮影ガイドのみを一覧表示するようにしてもよい。例えば、使用者が撮影シーンモードとして「ポートレートモード」を選択した場合には、撮影ガイド表示部１０４ｃは、図１０に示すように対象シーンモードとしてポートレートモードが関連付けられている撮影ガイドを一覧表示するようにしてもよい。
【００６９】
（２）上述した実施の形態では、撮影制御部１０４ｄは、各撮影ガイドで設定されているオブジェクトの優先順位に基づいて自動的に撮影を行う例について説明した。しかしながら、撮影制御部１０４ｄは、使用者が撮影ガイドに合わせて構図を決定し、操作部材１０１に含まれるレリーズスイッチを押下（全押し）したことを検出したときに、撮影を行うようにしてもよい。このとき、撮影制御部１０４ｄは、使用者がレリーズスイッチを半押しした時点で、優先順位が最も高く設定されているオブジェクト内に、そのオブジェクトに合った被写体が入っていない場合には、モニタ１０７に警告を表示するようにしてもよい。
【００７０】
（３）上述した実施の形態では、使用者は、カメラ１００のモニタ１０７に搭載されたタッチパネル１０７ａを操作して、モニタ１０７上で撮影ガイドを作成するようにし、作成済みの撮影ガイドを選択して撮影を行う例について説明した。しかしながら、あらかじめパソコン等の外部機器で作成しておき、これをカメラに取り込んで撮影時に用いるようにしてもよい。すなわち、カメラ１００は、撮影ガイドをパソコンから取り込んでメモリ１０５に記録しておき、撮影ガイドを用いた撮影時には、図９で上述した撮影処理を実行するようにしてもよい。
【００７１】
また、カメラ１００で作成した撮影ガイドをメモリカードに記憶しておき、そのメモリカード経由で他のカメラやパソコンに撮影ガイドをコピーするようにしてもよい。あるいは、カメラ１００で作成した撮影ガイドをＵＳＢ接続、または無線接続された他のカメラやパソコンに転送するようにしてもよい。これによって、カメラ１００で作成した撮影ガイドを他のカメラやパソコンと共有することができる。
【００７２】
なお、本発明の特徴的な機能を損なわない限り、本発明は、上述した実施の形態における構成に何ら限定されない。
【図面の簡単な説明】
【００７３】
【図１】カメラの一実施の形態の構成を示すブロック図である。
【図２】撮影ガイド作成用画面の具体例を示す図である。
【図３】撮影ガイド上に配置した図形の編集例を示す図である。
【図４】撮影済みの画像に基づいて撮影ガイドを作成する場合の具体例を示す図である。
【図５】撮影ガイド内のオブジェクトへの優先順位の設定方法を示す図である。
【図６】撮影ガイド一覧画面の具体例を示す図である。
【図７】撮影ガイドの修正方法を示す図である。
【図８】撮影ガイド作成処理のフローチャート図である。
【図９】撮影処理のフローチャート図である。
【図１０】変形例における撮影ガイド一覧画面の具体例を示す図である。
【符号の説明】
【００７４】
１００  カメラ、１０１  操作部材、１０２  レンズ、１０３  撮像素子、１０４  制御装置、１０４ａ  撮影ガイド作成部、１０４ｂ  撮影ガイド記録部、１０４ｃ  撮影ガイド表示部、１０４ｄ  撮影制御部、１０５  メモリ、１０６  メモリカードスロット、１０７  モニタ、１０７ａ  タッチパネル
【図１】
2008236011.tif 000003
【図２】
2008236011.tif 000004
【図３】
2008236011.tif 000005
【図４】
2008236011.tif 000006
【図５】
2008236011.tif 000007
【図６】
2008236011.tif 000008
【図７】
2008236011.tif 000009
【図８】
2008236011.tif 000010
【図９】
2008236011.tif 000011
【図１０】
2008236011.tif 000012